(57)【要約】【課題】特に補助開閉器等が開状態の時に接触抵抗を測定することによって、補助開閉器等が取り付けられた遮断器等が誤動作することを防止する。【解決手段】補助開閉器等の接点間の接触抵抗測定器１０は、前記接点間の電圧を測定する第１電圧測定手段３０と、閉状態の接点間に試験電流を通電して前記接点間の接触抵抗を測定する抵抗測定手段４０とを備えている。前記接点間が開状態のときに前記接点間に現れる電圧より小さくて、前記接点間が閉状態のときに前記接点間に現れる電圧より大きな基準電圧を設定し、第１電圧測定手段３０が測定した前記接点間の電圧が前記基準電圧以下の時に、抵抗測定手段４０が前記接点間の接触抵抗の測定を行う。【選択図】図４
2009074829.tif 000002
【特許請求の範囲】
【請求項１】
補助開閉器等の接点間の接触抵抗を測定する補助開閉器等の接点間の接触抵抗測定器であって、
前記接点間の電圧を測定する第１電圧測定手段と、
閉状態の前記接点間に試験電流を通電して前記接点間の接触抵抗を測定する抵抗測定手段とを備え、
前記接点間が開状態のときに前記接点間に現れる電圧より小さくて、前記接点間が閉状態のときに前記接点間に現れる電圧より大きな基準電圧を設定し、
前記第１電圧測定手段が測定した前記接点間の電圧が前記基準電圧以下の時に、前記抵抗測定手段が前記接点間の接触抵抗の測定を行うことを特徴とする補助開閉器等の接点間の接触抵抗測定器。
【請求項２】
請求項１記載の補助開閉器等の接点間の接触抵抗測定器であって、
前記抵抗測定手段は閉状態の前記接点間に試験電流を流す電源と、
前記試験電流が流れている閉状態の接点間の電圧を測定する第２電圧測定手段と、
前記第２電圧測定手段が測定した電圧値を前記試験電流値で割り算して前記接点間の接触抵抗値を算出する抵抗値算出手段とを備えていることを特徴とする補助開閉器等の接点間の接触抵抗測定器。
【請求項３】
請求項１または２記載の補助開閉器等の接点間の接触抵抗測定器であって、
前記第１電圧測定手段が測定した開状態の前記接点間の電圧が前記基準電圧より大きいときには、前記抵抗測定手段が試験電流を前記接点間に流すことを妨げる電流遮断手段を備えていることを特徴とする補助開閉器等の接点間の接触抵抗測定器。
【発明の詳細な説明】
【技術分野】
【０００１】
本発明は、補助開閉器等の接点間の接触抵抗測定器に関するものであり、特に補助開閉器等が開状態の時に接触抵抗を測定することによって、補助開閉器等が取り付けられた遮断器等が誤動作することを防止する技術に関するものである。
【背景技術】
【０００２】
従来、補助開閉器が送電線の遮断器等に使用されている。この補助開閉器は遮断器等と連動して開閉し、遮断器等の開閉状態をモニターするものである。具体的には、補助開閉器は、主回路となる遮断器等の開閉状態に連動して開閉する低圧回路接点として使用するための部品である。そして、補助開閉器は遮断器等の機能を維持するために重要なものである反面、定期交換が困難な構造のものである。このため、定期点検の都度、補助開閉器の接点の接触抵抗を測定して、補助開閉器の機能のチェック・診断が行われている（例えば特許文献１の図５参照）。
【特許文献１】特開２００３−６６０７４号公報
【発明の開示】
【発明が解決しようとする課題】
【０００３】
しかし、補助開閉器は配線の取り外しが困難であるため、補助開閉器に低圧電圧が印加されたまま補助開閉器の接点の接触抵抗を測定せざるをえない。そのため、前記接点が開状態であると、接点間電圧が発生してしまい、この状態で誤って試験電流を通電して前記接点の接触抵抗測定を行うと、接触抵抗測定器の破損等や遮断器等の誤動作につながるとともに、重大な停電事故に至る危険性がある。
しかし、現状の接触抵抗測定器では、人間系により別の電圧計器を用いて接点間電圧の有無を確認しなければならない。また、近年では、数値トレンド管理による予防保全を行う時流から、補助開閉器のように接点数が多い部位の測定に対して、汎用の接触抵抗測定器では複数の測定値の保存ができず、データ管理が困難な状況にある。
また、このような問題は、補助開閉器に限らず、電磁接触器、補助リレー等の一般的な電装部品の接点の接触抵抗の測定に際しても発生する問題である。
そこで、本発明の目的は、特に補助開閉器等が開状態の時に接触抵抗を測定することによって、補助開閉器等が取り付けられた遮断器等が誤動作することを防止することができる補助開閉器等の接点間の接触抵抗測定器を提供することである。
【課題を解決するための手段】
【０００４】
上記課題を解決するため、請求項１記載の発明は、補助開閉器等の接点間の接触抵抗を測定する補助開閉器等の接点間の接触抵抗測定器であって、前記接点間の電圧を測定する第１電圧測定手段と、閉状態の前記接点間に試験電流を通電して前記接点間の接触抵抗を測定する抵抗測定手段とを備え、前記接点間が開状態のときに前記接点間に現れる電圧より小さくて、前記接点間が閉状態のときに前記接点間に現れる電圧より大きな基準電圧を設定し、前記第１電圧測定手段が測定した前記接点間の電圧が前記基準電圧以下の時に、前記抵抗測定手段が前記接点間の接触抵抗の測定を行うことを特徴とする補助開閉器等の接点間の接触抵抗測定器である。
【０００５】
請求項１記載の発明により、前記第１電圧測定手段が測定した前記接点間の電圧が前記基準電圧以下の時には、前記接点間が閉状態であることを確認できるので、前記抵抗測定手段が閉状態の接点間に試験電流を通電して前記接点間の接触抵抗を測定することができる。
【０００６】
さらに、請求項２記載の発明は、請求項１に記載の補助開閉器等の接点間の接触抵抗測定器であって、前記抵抗測定手段は閉状態の前記接点間に試験電流を流す電源と、前記試験電流が流れている閉状態の接点間の電圧を測定する第２電圧測定手段と、前記第２電圧測定手段が測定した電圧値を前記試験電流値で割り算して前記接点間の接触抵抗値を算出する抵抗値算出手段とを備えていることを特徴とする補助開閉器等の接点間の接触抵抗測定器である。
【０００７】
請求項２記載の発明により、抵抗測定手段において、電源が閉状態の前記接点間に試験電流を流し、第２電圧測定手段が前記試験電流が流れている閉状態の接点間の電圧を測定し、抵抗値算出手段が前記第２電圧測定手段が測定した電圧値を前記試験電流値で割り算して前記接点間の接触抵抗値を算出するので、前記閉状態の接点間の接触抵抗を測定することができる。
【０００８】
さらに、請求項３記載の発明は、請求項１または２記載の補助開閉器等の接点間の接触抵抗測定器であって、前記第１電圧測定手段が測定した前記接点間の電圧が前記基準電圧より大きいときには、前記抵抗測定手段が試験電流を前記接点間に流すことを妨げる電流遮断手段を備えていることを特徴とする補助開閉器等の接点間の接触抵抗測定器である。
【０００９】
請求項３記載の発明により、前記第１電圧測定手段が測定した前記接点間の電圧が前記基準電圧より大きいときは、前記接点間が開状態であることを確認できるので、このときは前記抵抗測定手段が試験電流を前記接点間に流すことを電流遮断手段が妨げる。
【発明の効果】
【００１０】
請求項１記載の発明によれば、補助開閉器等の接点間の接触抵抗測定器において、特に補助開閉器等が開状態の時に接触抵抗を測定することによって、補助開閉器等が取り付けられた遮断器等が誤動作することを防止することができる。
さらに、請求項２記載の発明により、請求項１記載の発明の効果とともに、前記閉状態の接点間の接触抵抗を自動的に測定することができる。
さらに、請求項３記載の発明により、請求項１または２記載の発明の効果とともに、開状態の接点間に試験電流を流すことを確実に防ぐことができる。
【発明を実施するための最良の形態】
【００１１】
以下、本発明における実施の形態を図面に基づいて説明する。
図１は本発明の実施の形態に関わる接触抵抗測定器の外観を示し、図２は図１の接触抵抗測定器の本体のパネルを示し、図３は図１の接触抵抗測定器のプローブを示し、図４は図１の接触抵抗測定器の内部回路を示し、図５は図１の接触抵抗測定器の動作のフローチャートを示し、図６は図１の接触抵抗測定器のブザー音の波形を示し、図７は図１の接触抵抗測定器の表示器のメニュー画面を示し、図８は前記表示器の測定画面を示し、図９は前記表示器のデータ表示画面を示し、図１０は前記表示器の設定画面を示す。
【００１２】
図１に示すように、接触抵抗測定器１０は、トランク型アルミケースに収納された本体１１と本体１１のパネル１２（図２参照）を覆う開閉可能な蓋２５を備えている。なお、本体１１の側面には取っ手１３が設けられている。このため、接触抵抗測定器１０は軽量でコンパクトなポータブル構造になっている。
【００１３】
図２に示すように、パネル１２には、電源入力端子１４、接地端子１５、ＭＣＣＢ（Ｍｏｌｄｅｄ−ｃａｓｅ  ｃｉｒｃｕｉｔ  ｂｒｅａｋｅｒ：配線用遮断器）型の電源スイッチ１６、抵抗測定時の過電流保護用のＭＣＣＢ１７、コネクタ１８、表示器１９、プリンタ２０、操作ボタン２１およびキー２２が設けられている。
電源入力端子１４はＡＣ電源コードを接続する端子であり、接地端子１５は接触抵抗測定器１０の電気回路の接地点を接地する端子である。電源スイッチ１６は接触抵抗測定器１０の電源をオンオフするスイッチである。コネクタ１８はプローブ２４（図３参照）の接続用コネクタであり、表示器１９は測定結果を表示するものであり、プリンタ２０は測定結果を印刷するものである。なお、２０ａはプリントボタンである。プリントボタン２０ａを押すとプリンタ２０が印刷する。
【００１４】
具体的には、表示器１９はＬＣＤ（Ｌｉｑｕｉｄ  Ｃｒｙｓｔａｌ  Ｄｉｓｐｌａｙ）であり、メニュ画面（図７参照）、測定画面（図８参照）、データ表示画面（図９参照）および設定画面（図１０参照）を表示する。メニュー画面において、「測定」を選択すると、測定画面が表示され、メニュー画面において、「データ表示」を選択すると、データ表示画面が表示され、メニュー画面において、「設定」を選択すると、設定画面が表示される。
また、図２のプリンタ２０が図９のデータ表示画面の内容を印刷する。
【００１５】
図８に示すように、測定画面は接点間電圧表示部１９ａ、抵抗表示部１９ｂおよび判定表示部１９ｃを備えている。接点間電圧表示部１９ａには第１電圧測定手段３０の測定結果が表示され、抵抗表示部１９ｂには抵抗測定手段４０による接点接触抵抗の測定結果が表示され、判定表示部１９ｃには接点接触抵抗の判定結果が表示される。
図９のデータ表示画面では、例えばＮｏ．１〜２４までの接点間の接触抵抗およびそれらのうち電圧異常（図５参照）とオーバーフロー（図５参照）のデータを除いた接点間の接触抵抗のＭａｘ（最大値）、Ｍｉｎ（最小値）およびＡｖｅ（平均値）が表示される。ここで、Ｎｏ．７の「Ｖｏｌｔ  ＮＧ」は電圧異常を表し、Ｎｏ．１１の「ｏｖｅｒ」はオーバーフローを示す。なお、図８および図９の各測定値は実測値ではなく仮定の値である。
【００１６】
図２に示すように、操作ボタン２１は４個であり、具体的にはスタートボタン２１ａ、セットボタン２１ｂ、リセットボタン２１ｃおよびストップボタン２１ｄである。また、キー２２はＥＳＣキー２２ａ、エンターキー２２ｂ、メニューキー２２ｃ、上向矢キー２２ｄ、下向矢キー２２ｅおよび右向矢キー２２ｆである。
【００１７】
なお、キー２２の操作により、設定画面（図１０参照）の各項目（年月日、時刻表示、基準電圧、判定しきい値Ａ、Ｂ、Ｃ）の設定、変更をすることができる。まず、上向矢キー２２ｄ、下向矢キー２２ｅまたは右向矢キー２２ｆの操作により設定画面における設定または変更をしたい項目（例えば基準電圧）を反転表示した状態で、エンターキー２２ｂを押すと前記項目の数値部分が反転表示になるので、その状態で上向矢キー２２ｄまたは下向矢キー２２ｅを押して数値部分の表示を設定または変更する。そしてエンターキー２２ｂを押すと前記項目が設定または変更される。
そして、メニューキー２２ｃまたはＥＳＣキー２２ａを押すと、メニュー画面（図７参照）に戻る。
【００１８】
図３に示すように、プローブ２４は第１電圧端子２４ａ、第２電圧端子２４ｂ、第１電流端子２４ｃおよび第２電流端子２４ｄを備え、４端子法による接点間の接触抵抗測定をするためのものである。第１電圧端子２４ａおよび第２電圧端子２４ｂは測定対象となる接点間の電圧を測る端子であり、第１電流端子２４ｃおよび第２電流端子２４ｄは前記接点間に試験電流を流す端子である。なお、第１電圧端子２４ａおよび第２電圧端子２４ｂはバネの力で押し出された軸状端子であり、第１電流端子２４ｃは第１電圧端子２４ａの外側に配置された同軸の筒状端子であり、第２電流端子２４ｄは第２電圧端子２４ｂの外側に配置された同軸の筒状端子である。第１電圧端子２４ａおよび第２電圧端子２４ｂを測定対象となる接点間に押し付けると、バネの力に抗して第１電圧端子２４ａおよび第２電圧端子２４ｂが引っ込むので、第１電流端子２４ｃおよび第２電流端子２４ｄが接点間に接触するように構成されている。プローブ２４の基部はコネクタ１８に接続される接続部２４ｅである。さらに、セットボタン２１ｂがプローブ２４にも配設されている。
【００１９】
図４に示すように、補助開閉器等の接点間の接触抵抗測定器１０は、接点間の電圧を測定する第１電圧測定手段３０と、閉状態の接点間に試験電流を通電して接点間の接触抵抗を測定する抵抗測定手段４０とを備えている。
前記接点間が開状態のときに前記接点間に現れる電圧（例えば１１０ボルト）より小さくて、前記接点間が閉状態のときに前記接点間に現れる電圧より大きな基準電圧（例えば１０ボルト）を上述のキー２２の操作により設定する。
第１電圧測定手段３０が測定した接点間の電圧が前記基準電圧以下の時に、抵抗測定手段４０が接点間の接触抵抗の測定を行う。
【００２０】
そして、抵抗測定手段４０は閉状態の接点間に試験電流を流す電源４１と、前記試験電流が流れている閉状態の接点間の電圧を測定する第２電圧測定手段４２と、第２電圧測定手段４２が測定した電圧値を前記試験電流値で割り算して接点間の接触抵抗値を算出する抵抗値算出手段４３とを備えている。
【００２１】
さらに、接触抵抗測定器１０は、第１電圧測定手段３０が測定した接点間の電圧が前記基準電圧より大きいときには、抵抗測定手段４０が試験電流を接点間に流すことを妨げる電流遮断手段５０を備えている。
【００２２】
具体的には、接触抵抗測定器１０の内部回路は図４に示すようになっている。ここで、第１電圧端子２４ａおよび第２電圧端子２４ｂは過入力保護回路６１を経由して、切替スイッチ６２の入力側に接続され、切替スイッチ６２の一方の出力側は整流回路６３を経由し第１増幅回路６４を経てアナログデジタル変換器（Ａ／Ｄ）６７の第１のアナログ入力端子に接続され、切替スイッチ６２の他方の出力側は第２増幅回路６５を経てアナログデジタル変換器（Ａ／Ｄ）６７の第２のアナログ入力端子に接続されている。なお、例えば第１増幅回路６４の電圧増幅度は３／１００であり、第２増幅回路６５の電圧増幅度は１０である。
そして、第１および第２電圧端子２４ａ、２４ｂ、過入力保護回路６１、切替スイッチ６２、整流回路６３および第１増幅回路６４は第１電圧測定手段３０を構成し、第１および第２電圧端子２４ａ、２４ｂ、過入力保護回路６１、切替スイッチ６２および第２増幅回路６５は第２電圧測定手段４２を構成する。
【００２３】
さらに、アナログデジタル変換器（Ａ／Ｄ）６７のデジタル出力端子は第１ホトカプラ６８の入力端子に接続され、第１ホトカプラ６８の出力端子はＣＰＵ（Ｃｅｎｔｒａｌ  Ｐｒｏｃｅｓｓｉｎｇ  Ｕｎｉｔ）７０の入力端子に接続されている。
また、ＣＰＵ７０の出力端子は第２ホトカプラ６９の入力端子に接続され、第２ホトカプラ６９の出力端子は電流遮断手段５０となるＭＣＣＢ１７の制御部に接続されている。
そして、ＣＰＵ７０は、測定値を演算、判断、判定し、測定フロー（図５参照）を実行するためのプログラムおよびデータを記憶するメモリを備え、前記メモリに記憶されたプログラムおよびデータに従って自動シーケンス制御をするものである。そして、ＣＰＵ７０は、表示器１９、プリンタ２０およびブザー２３を制御するように接続されている。
また、ＣＰＵ７０の入力手段として操作ボタン２１およびキー２２がＣＰＵ７０に接続されている。
【００２４】
交流電源プラグ８１は電源スイッチ１６を介して電源用トランス８３の入力側に接続され、第１電源回路８４はトランス８３の入力側に並列に接続されている。そして、トランス８３の一方の出力側は第２電源回路８５に接続されている。第１電源回路８４は表示器１９、プリンタ２０およびブザー２３等に電源電圧を供給し、第２電源回路８５は第１電源回路８４が電源電圧を供給しない部分（ＣＰＵ７０等）に電源電圧を供給する。
また、トランス８３の他方の出力側は整流回路８６を介して定電流回路８７の入力側に接続され、定電流回路８７の出力側は基準抵抗８８および電流遮断手段５０を介して第１および第２電流端子２４ｃ、２４ｄに接続されている。なお、定電流回路８７は電源４１となり、基準抵抗８８の値は任意の値（例えば１オーム）である。
また、基準抵抗８８に試験電流を流したときの基準抵抗８８の電圧を第３増幅回路６６が増幅してアナログデジタル（Ａ／Ｄ）変換器６７の第３のアナログ入力端子に入力するように構成されている。なお、例えば第３増幅回路６６の電圧増幅度は５である。そして、ＣＰＵ７０は、抵抗値算出手段４３を構成する。なお、試験電流は電源４１、基準抵抗８８、ＭＣＣＢ１７、第１電流端子２４ｃ、測定対象となる閉じた接点間、第２電流端子２４ｄ、電源４１の順に流れる。
【００２５】
また、ＣＰＵ７０が制御信号を第２ホトカプラ６９を介して切替スイッチ６２に加え、この制御信号により、第１電圧測定手段３０が接点間の電圧を測定するときは、切替スイッチ６２の出力側は第１電圧測定手段３０の整流回路６３に接続され、抵抗測定手段４０が接点間の抵抗測定をするときは、切替スイッチ６２の出力側は第２増幅回路６５に接続されている。なお、第１および第２ホトカプラ６８、６９は電源からのノイズ進入によるＣＰＵ７０の不具合を防いでいる。
また、ツェナーダイオード８９がＭＣＣＢ１７の電源４１側端子と第２電流端子２４ｄとの間の電圧が過大にならないようにするために接続されている。
【００２６】
図５に示す接触抵抗測定器１０の動作フローチャートによれば、つぎのようになる。
まず、スタートボタン２１ａ（図２参照）を押す（ステップＳ１）。つぎに、プローブ２４（図３参照）の第１および第２電圧端子２４ａ、２４ｂおよび第１および第２電流端子２４ｃ、２４ｄを補助開閉器の接点間に接触させて（ステップＳ２）、第１電圧測定手段３０（図４参照）により前記接点間の電圧測定を行う（ステップＳ３）。
そして、測定した電圧が前記基準電圧以下であれば（ステップＳ４）、抵抗測定手段４０（図４参照）が前記接点間の接触抵抗の測定を行う（ステップＳ５）。
なお、ステップＳ３〜Ｓ５においては、測定画面（図８参照）において「測定中」が表示される。
【００２７】
接触抵抗測定値が判定しきい値Ａ（例えば３００ｍΩ）以下であれば測定画面（図８参照）の判定表示部１９ｃに「良好」と表示し、チャイム音が鳴る（ステップＳ６）。また、接触抵抗測定値が判定しきい値Ａより大きく判定しきい値Ｂ（例えば１０００ｍΩ）以下であれば判定表示部１９ｃに「管理値オーバー」と表示し、ブザー音１（図６参照、なお、図６において横軸は時間軸であり、縦軸は音の大きさを示す。）が鳴る（ステップＳ７）。また、接触抵抗測定値が判定しきい値Ｂより大きく判定しきい値Ｃ（例えば３０００ｍΩ）以下であれば判定表示部１９ｃに「許容値オーバー」と表示し、ブザー音２（図６参照）が鳴る（ステップＳ８）。また、接触抵抗測定値が判定しきい値Ｃより大きいときは判定表示部１９ｃに「オーバーフロー」と表示し、ブザー音２が鳴る（ステップＳ９）。なお、ブザー音は鳴動タイミングや周波数にて音色を変え、人間の耳でその状態が容易に聞き分けられるようにしている。
【００２８】
一方、測定した電圧値が基準電圧より大きいときは、判定表示部１９ｃに「電圧異常」と表示し、ブザー音３（図６参照）が鳴る（ステップＳ１０）。
そして、ストップボタン２１ｄ（図２参照）を押すと、データは保存される。（ステップＳ１１）。また、セットボタン２１ｂ（図２参照）を押すと、データは保存され、接点ナンバーは＋１となる（ステップＳ１２）。そして、プローブ２４を次の接点に接触させて抵抗測定する（ステップＳ１４）。また、リセットボタン２１ｃ（図２参照）を押すと、データは破棄され、接点ナンバーはそのままとなる（ステップＳ１３）。最後に演算を実施し、電圧異常とオーバーフローのデータを除いた接点間の接触抵抗のＭａｘ（最大値）、Ｍｉｎ（最小値）およびＡｖｅ（平均値）をデータ表示画面（図９参照）に表示する（ステップＳ１５）。
【００２９】
以上の構成の補助開閉器等の接点間の接触抵抗測定器１０は、以下の動作をする。
第１電圧測定手段３０が測定した前記接点間の電圧が前記基準電圧以下の時には、前記接点間が閉状態であることを確認できるので、抵抗測定手段４０が閉状態の接点間に試験電流を通電して前記接点間の接触抵抗を測定することができる。
【００３０】
さらに、抵抗測定手段４０において、電源４１が閉状態の前記接点間に試験電流を流し、第２電圧測定手段４２が前記試験電流が流れている閉状態の接点間の電圧を測定し、抵抗値算出手段４３が第２電圧測定手段４２が測定した電圧値を前記試験電流値で割り算して前記接点間の接触抵抗値を算出するので、前記閉状態の接点間の接触抵抗値を測定することができる。
【００３１】
さらに、第１電圧測定手段３０が測定した前記接点間の電圧が前記基準電圧より大きいときは、前記接点間が開状態であることを確認できるので、このときは抵抗測定手段４０が試験電流を前記接点間に流すことを中止する（図５のステップＳ１０参照）とともに、電流遮断手段５０が試験電流の通電を妨げる。
【００３２】
このようにして、接触抵抗測定器１０は、接点間接触抵抗の測定前に接点間電圧の自動チェックをすることにより、フェールセーフ機能を有する。
また、例えば連続して２４接点の接触抵抗を測定し、測定データを自動的に良否判定し、接触抵抗の平均値等の統計演算および接触抵抗データの保存をすることができる。このため、補助開閉器の接点接触抵抗の測定の安全性を向上させるとともに、作業品質の高精度化を図ることができる。さらに、補助開閉器の定期点検業務の高度化を達成することができる。
また、４つの操作ボタン２１のみで操作をすることができるので、接触抵抗測定器１０の取り扱いが容易になる。このため、接触抵抗測定器１０を現場作業で支障なく使用することができる。
さらに、数値トレンド管理によるＣＢＭ（コンディションベースドメンテナンス）による補助開閉器の保守点検をすることができる。
【００３３】
なお、上記実施の形態において、補助開閉器の接点間の接触抵抗を測定しているが、これに限定されず、本発明は電磁接触器、補助リレー、配線用遮断器、ナイフスイッチ等の一般的な電装部品の接点間の接触抵抗の測定に際しても適用することができる。さらに、発電、送配電以外の他産業における電気設備の保守業務にも本発明を適用できる。
【図面の簡単な説明】
【００３４】
【図１】本発明の実施の形態に係る接触抵抗測定器の外観を示す正面図である。
【図２】図１の接触抵抗測定器の本体のパネルを示す部分図である。
【図３】図１の接触抵抗測定器のプローブを示す部分図である。
【図４】図１の接触抵抗測定器の内部回路図である。
【図５】図１の接触抵抗測定器の動作のフローチャートである。
【図６】図１の接触抵抗測定器のブザー音の波形図である。
【図７】図１の接触抵抗測定器の表示器のメニュー画面を示す部分図である。
【図８】図１の接触抵抗測定器の表示器の測定画面を示す部分図である。
【図９】図１の接触抵抗測定器の表示器のデータ表示画面を示す部分図である。
【図１０】図１の接触抵抗測定器の表示器の設定画面を示す部分図である。
【符号の説明】
【００３５】
１０  接触抵抗測定器
３０  第１電圧測定手段
４０  抵抗測定手段
４１  電源
４２  第２電圧測定手段
４３  抵抗値算出手段
５０  電流遮断手段
【図１】
2009074829.tif 000003
【図２】
2009074829.tif 000004
【図３】
2009074829.tif 000005
【図４】
2009074829.tif 000006
【図５】
2009074829.tif 000007
【図６】
2009074829.tif 000008
【図７】
2009074829.tif 000009
【図８】
2009074829.tif 000010
【図９】
2009074829.tif 000011
【図１０】
2009074829.tif 000012